(57)【要約】【課題】価格ラベルの装脱作業を簡易に行い得るようにした取り扱い性の良い自動販売機の商品見本展示装置を提供する。【解決手段】前面をシート状商品見本および価格ラベルの支持面とした箱状の見本展示体と、前記見本展示体の前面に設けられて前記シート状商品見本を装脱自在に支持する商品見本支持部と、前記価格ラベルの側縁部が嵌め込まれる溝を備え、前記見本展示体の前面下端部に前記価格ラベルの横幅に相当する間隔を隔てて平行に設けられて前記価格ラベルを装脱自在に支持する一対のラベル保持部と、上記ラベル保持部に支持された価格ラベルの裏面側に位置して前記見本展示部の下面に設けられて前記価格ラベルの裏面の一部を露出させた凹部とを備える。【選択図】図２
2007249789.tif 000002
【特許請求の範囲】
【請求項１】
自動販売機に組み込まれてシート状商品見本と価格ラベルとを並べて展示する商品見本展示装置であって、
前面をシート状商品見本および価格ラベルの支持面とした箱状の見本展示体と、
前記シート状商品見本の側縁部が嵌め込まれる溝を備え、前記見本展示体の前面に前記シート状商品見本の横幅に相当する間隔を隔てて平行に設けられて前記シート状商品見本を装脱自在に支持する一対の商品見本支持部と、
前記価格ラベルの側縁部が嵌め込まれる溝を備え、前記見本展示体の前面下端部に前記価格ラベルの横幅に相当する間隔を隔てて平行に設けられて前記シート状商品見本と同一面上に並べて前記価格ラベルを装脱自在に支持する一対のラベル保持部と、
上記ラベル保持部に支持された価格ラベルの裏面側に位置して前記見本展示部の下面に設けられて前記価格ラベルの裏面の一部を露出させた凹部と
を具備したことを特徴とする自動販売機の商品見本展示装置。
【請求項２】
前記一対のラベル保持部は、上端または下端を開放した溝と、その下端部に設けられて両側縁部を上記溝に嵌め込んだ価格ラベルの抜け落ちを防止するストッパとを備えたものである請求項１に記載の自動販売機の商品見本展示装置。
【請求項３】
箱状の前記見本展示体は、透明体にて形成された前面板の裏側に、立体商品見本を収納可能な空間を形成したものである請求項１に記載の自動販売機の商品見本展示装置。
【発明の詳細な説明】
【技術分野】
【０００１】
本発明は、シート状商品見本および価格ラベルとを並べて展示すると共に、その装脱（交換）の容易化を図った自動販売機の商品見本展示装置に関する。
【背景技術】
【０００２】
たばこ等のパッケージ商品の自動販売機は、通常、箱形の販売機本体の前面部に設けた前扉の前面に、商品見本展示部（商品見本展示装置）や、この商品見本展示部に展示された商品見本を選択的に指定する商品選択釦、更には金銭投入口や釣り銭払出口等を設けて構成される（例えば特許文献１を参照）。商品見本展示部は、販売対象とするパッケージ商品（例えばたばこ）の見本を並べて展示する複数段の商品展示棚を備えたもので、商品選択釦は上記各商品見本展示棚に展示される複数の商品見本に対応付けて設けられる。そして自動販売機は、所定の金銭処理の下で商品選択釦が選択的に押圧操作されたとき、その商品選択釦が対応付けられた商品見本により特定されるパッケージ商品を選択的に払い出すように構成される。
【０００３】
尚、たばこ等の箱形のパッケージ商品は、商品種別（銘柄）毎に分類されて販売機本体の内部に設けられた複数列の商品コラムにそれぞれ積み重ねて収納される。また商品展示部に展示される商品見本は、専ら、商品の外観（形状・デザイン）を模して製作されたプラスチック製の立体商品見本（立体ダミー）として提供されるが、パッケージ商品そのものを見本として前記商品見本展示部に展示する場合もある。
【０００４】
しかしながら立体商品見本を商品種別（銘柄）毎に準備するには多大な経費が嵩むことが否めない。またパッケージ商品そのものを見本として用いた場合、当該商品を販売することができないと言う不具合がある。そこでプラスチック等からなるシート状の薄板体（フィルム）に商品イメージを印刷した安価なシート状商品見本（フィルムダミー）を前述した商品見本展示部に展示することが提唱されている。このような要求に応えるべく本出願人には、先に上述したシート状商品見本を見栄え良く、しかもその着脱（交換作業）を簡単に行い得る商品見本展示装置を提唱した（例えば特許文献２を参照）。
【特許文献１】特開２００２−２７９４９７号公報
【特許文献２】特願２００５−７７０９６
【発明の開示】
【発明が解決しようとする課題】
【０００５】
ところで商品見本展示部には、上述したシート状商品見本と共にその販売価格を提示する価格ラベルも取り付けられる。この価格ラベルは、一般的にはプラスチック等の小片からなり、立体商品見本（立体ダミー）やシート状商品見本（フィルムダミー）に対応付けてその下方に並べて設けられる。尚、これらのシート状商品見本（フィルムダミー）および価格ラベルは、一般的には箱状の商品見本展示部の前面に設けられ、その側縁部が嵌め込まれる溝を備えた一対の商品見本支持部およびラベル保持部にそれぞれ嵌め込まれて上記商品見本展示部に装着される。
【０００６】
ちなみにシート状商品見本（フィルムダミー）は、通常、販売商品と略同程度の大型のシートとして実現されるのでその取り扱いが容易であり、上記商品見本支持部への装脱も容易である。しかし価格ラベルは、一般的には販売価格を示す３桁の数字を明示した小片からなる。この為、ラベル保持部に装着した価格ラベルを指先で摘むことが困難であり、従ってラベル保持部からの取り外しが面倒であると言う不具合がある。
【０００７】
本発明はこのような事情を考慮してなされたもので、その目的は、シート状商品見本および価格ラベルを安定に保持することができることのみならず、特に価格ラベルの装脱作業を簡易に行い得るようにした取り扱い性の良い自動販売機の商品見本展示装置を提供することにある。
【課題を解決するための手段】
【０００８】
上述した目的を達成するべく本発明に係る自動販売機の商品見本展示装置は、自動販売機に組み込まれてシート状商品見本と価格ラベルとを並べて展示するものであって、
前面をシート状商品見本および価格ラベルの支持面とした箱状の見本展示体と、
前記シート状商品見本の側縁部が嵌め込まれる溝を備え、前記見本展示体の前面に前記シート状商品見本の横幅に相当する間隔を隔てて平行に設けられて前記シート状商品見本を装脱自在に支持する一対の商品見本支持部と、
前記価格ラベルの側縁部が嵌め込まれる溝を備え、前記見本展示体の前面下端部に前記価格ラベルの横幅に相当する間隔を隔てて平行に設けられて前記シート状商品見本と同一面上に並べて前記価格ラベルを装脱自在に支持する一対のラベル保持部と、
上記ラベル保持部に支持された価格ラベルの裏面側に位置して前記見本展示部の下面に設けられて前記価格ラベルの裏面の一部を露出させた凹部と
を備えたことを特徴としている。
【０００９】
ちなみに前記一対のラベル保持部は、上端または下端を開放した溝と、その下端部に設けられて両側縁部を上記溝に嵌め込んだ価格ラベルの抜け落ちを防止するストッパとを備えたものとして実現される。また箱状の前記見本展示体は、例えば透明体にて形成された前面板の裏側に、立体商品見本を収納可能な空間を形成したものからなる。
【発明の効果】
【００１０】
上記構成の自動販売機の商品見本展示装置によれば、シート状商品見本と価格ラベルとをその前面に並べて展示する箱状の見本展示体の下面に、ラベル保持部に支持された価格ラベルの裏面側に位置して該価格ラベルの裏面の一部を露出させた凹部が設けられているので、この凹部に指をかけることで前記ラベル保持部に装着された価格ラベルをその前面側に容易に撓ませることができる。そしてこの価格ラベルの撓みを利用して該価格ラベルを前記ラベル保持部から容易に取り外すことが可能となる。故に価格ラベルの取り外し作業の容易化を図ることが可能となる。
【００１１】
また凹部を利用して指先やピンセット等を用いて価格ラベルを摘むことも容易となるので、価格ラベルの取り扱いの容易化を図ることが可能となる等の効果が奏せられる。
【発明を実施するための最良の形態】
【００１２】
以下、図面を参照して本発明の一実施形態に係る自動販売機の商品見本展示装置について、たばこ（シガレット）の自動販売機を例に説明する。
図１は自動販売機の外観とその概略的な内部構造を示す斜視図で、１はその内部に複数種の商品（たばこ）を銘柄別に分類して収納した、例えば高さ約１８０ｃｍ，幅約８０ｃｍ、奥行き約５０ｃｍの箱形の販売機本体であり、２はその前面部に開閉自在に設けられた前扉である。この前扉２の前面には、図１(ａ)に示すように販売対象とする複数の商品見本を展示する商品見本展示部３、およびこの商品見本展示部３に展示された商品を選択的に指定する為の複数の商品選択釦４が設けられている。
【００１３】
上記商品見本展示部３は、複数種の商品見本（ダミー）を載置して展示する複数段の商品展示棚を備え、その前面部を透明なアクリル板等により覆ったものである。また前記商品選択釦４は上記各商品展示棚に展示された商品見本（ダミー）にそれぞれ対応付けて前記前扉２の前面側から押圧操作可能に、前記各商品展示棚の前端部にそれぞれ設けられている。また前扉２の前面における略中央高さ位置の右側領域には、コイン投入口５ａ，紙幣投入口５ｂ，投入金額等を表示する表示器５ｃ、および釣り銭返却レバー５ｄ等からなる金銭処理機構５が設けられている。更に前記前扉２の前面における低部位置には、前記商品選択釦４の選択的（択一的）な操作に伴って販売機本体１から選択的に払い出された商品を取り出す為の商品取出口６や釣り銭返却口７、更には前扉２の開閉レバー８等が設けられている。
【００１４】
尚、前記前扉２は、販売機本体１の前端部右側を回動支点として左開きに開閉自在に設けられている。そして図１(ｂ)に前扉２を開けた状態を示すように、販売機本体１の内部にはパッケージ商品（たばこ）を銘柄別に分類して積み重ねて収納する複数列の商品コラム１ａが多段に設けられており、更に中扉９にも複数列の商品コラム９ａが多段に設けられている。これらの商品コラム１ａ,９ａは前扉２を閉じたときに所定の間隔を隔てて平行に対峙し、これらの商品コラム１ａ,９ａ間に形成される空間部を上記各商品コラム１ａ,９ａから選択的に払い出された商品（たばこ）を前記商品取出口６に導く為の商品ガイド（中央シュート）として形成するものとなっている。
【００１５】
また前記前扉２の裏面側には、この前扉２の裏面側を開放可能に中扉９が設けられている。特にこの中扉９は、前扉２の裏面奥部（販売機本体１の右側）を回動軸として、前扉２を開けた状態においてだけその裏面側に開閉し得るように設けられている。そして図１(ｃ)に中扉９を開けた状態を示すように、前記中扉９の内側面、つまり商品コラム９ａの裏面側には前述した商品展示棚３ａが多段に設けられている。これらの商品展示棚３ａへの商品見本の載置（展示）等は、この図１(ｃ)に示すように中扉９を開けて行われる。
【００１６】
さて基本的には上述した如く構成されるたばこの自動販売機の商品見本展示部３に組み込まれる商品見本展示装置は、例えば図２および図３にその概略的な構成を示すように、その前面に複数枚（例えば４枚）のシート状商品見本（フィルムダミー）Ｆを横並びに保持すると共に、その裏面側に複数個（例えば４個）の立体商品見本（立体ダミー；図示せず）を並べて収納する箱形の見本展示体１０と、この見本展示体１０を前傾可能に支持する支持体２０とからなる。箱形の見本展示体１０は、裏面側に収納した立体商品見本（立体ダミー）Ｓを前面側から視認可能とする透明な合成樹脂製（プラスチック製）のものからなる。また前記支持体２０は、前述した中扉９の前面に商品見本展示装置を取り付けてこの商品見本展示装置を、ひいてはこの商品見本展示装置に装着されたシート状商品見本Ｆまたは立体商品見本を自動販売機の前面側から視認可能に前記商品見本展示部３に位置付ける役割を担う。
【００１７】
具体的には前記見本展示体１０は、例えば図２に示すように４枚のシート状商品見本（フィルムダミー）Ｆを横並びにした大きさの略平板状の支持板１１を備えており、この支持板１１の前面を上記各シート状商品見本Ｆを支持面としている。またこの支持板１１の前面には、その下端から中腹部に掛けて前記シート状商品見本Ｆの全長の略２／３の長さを有する複数対（この例では４対）の支持ガイド体（商品見本支持部）１２,１２が前記シート状商品見本Ｆの横幅に相当する間隔を隔てて平行に突設されている。特にこの支持ガイド体１２,１２は、シート状商品見本Ｆだけでなく、後述するシート状商品見本Ｆの全長の１／２〜２／３の長さを有するシート状の告知ラベルや販売促進用ラベル等の着脱の容易化を図るべく、上述したように短く設定されている。
【００１８】
尚、これらの支持ガイド体１２,１２は、上記支持板１１の前面との間に溝を形成した断面Ｌ字形のものであって、対をなす支持ガイド体１２,１２毎に上記溝を互いに対向させて前記支持体１１の前面に平行に設けられている。これらの支持ガイド体１２,１２は、前記支持体１１の前面に前記シート状商品見本Ｆを位置付けて該シート状商品見本Ｆの両側縁部を支持する役割を担う。ちなみに見本展示体１０の前面へのシート状商品見本Ｆの装着は、図２に示すように見本展示体１０の上方から前記支持板１１の前面に沿ってシート状商品見本Ｆを上記支持ガイド体１２,１２間に差し込み、該シート状商品見本Ｆの両側縁部を前記支持ガイド体１２,１２が形成した溝にそれぞれ嵌め込むことによって行われる。
【００１９】
また前記見本展示体１０の前面下部には、フィルム状の小片からなる価格ラベルＬを保持する複数対の支持ガイド体（ラベル支持部）１３,１３が設けられている。これらの対をなす支持ガイド体１３,１３は、互いに対向する縁部に前記支持板１１の前面との間に溝を形成する段差を有するものであって前記支持体１１の前面に突設されている。この支持ガイド体１３,１３への価格ラベルＬの装着は、例えば前記シート状商品見本Ｆの装着に先立って価格ラベルＬを見本展示体１０の上方から前記支持板１１の前面に沿って上記支持ガイド体１３,１３間に差し込むことによって行われる。
【００２０】
更に見本展示体１０の下面には、ラベル保持部に支持された価格ラベルＬの裏面側に位置して前記価格ラベルＬの裏面の一部を露出させる凹部１４が形成されている。この凹部１４は、例えば指幅程度の幅を有する半円状をなす所定の深さの段差部からなり、価格ラベルＬの裏面側に指の腹部や爪先を入り込ませて、価格ラベルＬを前面側に撓ませながら引き出す為の空間を形成したものである。このような凹部１４を設けたことにより、ラベル保持部である支持ガイド体１３,１３に装着した価格ラベルＬの取り外しを、前述したシート状商品見本Ｆを取り外すことなく、その前面側に直接、しかも簡易に行い得るようになっている。
【００２１】
尚、図３に見本展示体１０を傾倒させた状態を示すように、箱状の見本展示体１０の裏面側は３枚の仕切板１５により幅方向に区画されており、これらの各区画領域（空間）にはそれぞれその裏面側から立体商品見本が挿入可能となっている。前述したシート状商品見本Ｆを用いない場合、上述したように箱形の見本展示体１０の裏面側に装着された立体商品見本が、透明な支持体１１を介してその前面側から視認可能となる。即ち、この商品見本展示装置は、シート状商品見本Ｆおよび／または立体商品見本を装着して商品販売の展示に供するものとなっている。
【００２２】
ところで前記支持体２０は、図４に示すように前述した自動販売機の中扉９に取り付けられる基体２１と、この基体２１の両側部に突設されて上述した見本展示体１０をその両側から挟み込んで支持する一対の支持板２２とを備えている。特にこの支持板２２には、前記見本展示体１０の側面板１６に突設された軸体１７が嵌め込まれる軸受孔２３が形成されており、この軸受孔２３と前記軸体１７とを結合することにより前記見本展示体１０が前傾可能に軸支されるようになっている。
【００２３】
また上記支持板２２には、前記見本展示体１０の側面板１６に弾性変形可能に設けられたストッパ１８が嵌め込まれる嵌合孔２４が形成されている。前記見本展示体１０を直立させて上記嵌合孔２４にストッパ１８を嵌合させることにより前記見本展示体１０の直立姿勢が保持される。そして見本展示体１０の前傾は、前記ストッパ１８を弾性変形させて嵌合孔２４との係合を解除し、見本展示体１０の上端部を手前に引き出すことによって行われる。この見本展示体１０の図３に示すような前傾状態において、前記空間部への立体商品見本の着脱が行われる。
【００２４】
尚、見本支持体２０の前傾角度（回動角度）は、図４に示すように支持体２０の前方に突出している前記支持板２２の下端縁部２２ａと、前記見本展示体１０の側面板１６に設けられた三角形状の凹部１９の縁部１９ａとの当接により規制されるようになっている。同時に見本展示体１０の側面板１６に突出形成された突起１６ａと、支持体２０に設けられたガイド孔２５の縁部とが互いに突き合うことにより上記見本展示体１０のそれ以上の前傾が阻止され、見本展示体１０の前傾姿勢が規制されるようになっている。
【００２５】
また見本展示体１０の前面の前述した支持ガイド体１２の上端が位置付けられる中腹部は、その背面側に湾曲した凹面をなすシート状商品見本挿入ガイド部となっている。このシート状商品見本挿入ガイド部は、支持板１１の上下方向に滑らかに変化する窪みをなして支持板１１の幅方向に亘って形成したものである。また前記支持板１１の上端部は、その背面側に向けて後退する傾斜面として形成されており、支持板１１の前面に保持されるシート状商品見本Ｆとの間に所定の隙間を形成するようになっている。
【００２６】
支持ガイド体１２の上端部に位置して、前記支持板１１の前面中腹部に上述した凹面をなすシート状商品見本挿入ガイド部を形成した商品見本展示装置によれば、シート状商品見本Ｆの下端部を上記挿入ガイド部の凹面に押し当て、その凹面に倣ってシート状商品見本Ｆを下方に向けて押し込めば、これによってシート状商品見本Ｆの下端部が支持ガイド体１２の後ろ側にスムースに導かれる。そして支持ガイド体１２と支持板１１の前面との間に形成された溝内に円滑に挿入される。従って支持ガイド体１２がシート状商品見本Ｆの全長の略２／３程度と短く、その上端が支持体１１の中腹部に位置付けられていることと相俟って、支持ガイド体１２へのシート状商品見本Ｆの挿入作業の容易化を図ることができる。
【００２７】
またシート状商品見本Ｆよりも全長の短いシート状の告知ラベルや販売促進用ラベル（図示せず）を上記支持ガイド体１２に装着した状態で、更にその後ろ側にシート状商品見本Ｆを装着する場合であっても、前述した凹面をなすシート状商品見本挿入ガイド部の存在により上記シート状の価格ラベル等と支持体１１の前面との間に隙間が形成されているので、シート状商品見本Ｆの追加挿入を非常に簡単に行うことができる。特に前述したようにシート状商品見本Ｆの下端部を上記挿入ガイド部の凹面に押し当て、その凹面に倣ってシート状商品見本Ｆを下方に向けて押し込むだけで、該シート状商品見本Ｆをシート状の告知ラベル等の後ろ側に重ねて装着することができる。更には上述したように凹面をなすシート状商品見本挿入ガイド部の存在により上記シート状の告知ラベルと支持体１１の前面との間に隙間が形成されているので、告知ラベルの上端部を容易に摘むことができるので、その取り外しを容易に行うことができる。
【００２８】
また上記構成の商品見本展示装置によれば、支持板１１の前面上端部がその背面側に向けて後退する傾斜面として形成されているので、該支持板１１の前面に保持されたシート状商品見本Ｆの上端との間に隙間が形成される。従ってシート状商品見本Ｆの上端を摘んで該シート状商品見本Ｆを取り外すことが容易であり、またこのシート状商品見本Ｆの裏面側に別のシート状商品見本Ｆを装着する場合であっても、上記隙間を利用してその挿入を容易に行うことが可能である。
【００２９】
この結果、支持体１１の前面中腹部に凹面をなす挿入ガイド部を設け、更にその上端に背面側に向けて僅かに後退する傾斜面を設けると言う簡単な構成で、シート状商品見本Ｆの着脱作業の大幅な容易化を図ることができ、その取り扱い性の向上を図ることができる。しかもこの商品見本展示装置は、シート状商品見本Ｆの展示を主目的として構成されており、必要に応じて立体商品見本Ｓを装着可能な構造を採用しているので、展示すべき商品見本がいずれの場合であっても対応可能である。
【００３０】
また前述したように価格ラベルＬについても、ラベル保持部への装填が容易であることのみならず、見本展示体１０の下面に凹部１４が形成されているので、例えばこの凹部１４を通して指先を価格ラベルＬの裏面側に回り込ませて価格ラベルＬの下端を前面側に引き寄せれば、これによって価格ラベルＬが前面側に撓んで支持ガイド体１３,１３の溝から外れるので、その取り外しを簡易に行うことができる。特にシート状商品見本Ｆを取り外さなくても価格ラベルＬを容易に摘むことが可能となるので、その装脱を簡易に行うことが可能となる等の実用上多大なる効果が奏せられる。
【００３１】
尚、本発明は上述した実施形態に限定されるものではない。例えば上述した実施形態はラベル支持部に対して価格ラベルＬをその上方から差し込むように構成したが、図５に示すようにラベル支持部の下方側から価格ラベルＬを差し込むように構成することも勿論可能である。この場合、ラベル支持部の上端部および下端部に見本展示体１０の前面から僅かに突出して価格ラベルＬを位置決めするストッパをそれぞれ設けておく。そして価格ラベルＬの装填時には、該価格ラベルＬを撓ませて下端側のストッパを乗り越えさせてラベル支持部に挿入するようにすれば良い、この場合にも見本展示体１０の下面に凹部１４を形成しておくことは言うまでもない。その他、本発明はその要旨を逸脱しない範囲で種々変形して実施することができる。
【図面の簡単な説明】
【００３２】
【図１】本発明に係る商品見本展示装置が組み込まれる自動販売機の概略的な構造を示す図。
【図２】本発明の一実施形態に係る商品見本展示装置の概略構成を示す斜視図。
【図３】図２に示す商品見本展示装置における見本展示体１０の前傾状態を示す図。
【図４】図２に示す商品見本展示装置の側面図。
【図５】本発明の別の実施形態に係る商品見本展示装置の概略構成を示す斜視図。
【符号の説明】
【００３３】
１０  見本展示体
１１  支持板
１２  支持ガイド体（商品見本支持部）
１３  支持ガイド体（ラベル支持部）
１４  凹部
２０  支持体
Ｆ  シート状商品見本（フィルムダミー）
Ｌ  価格ラベル
【図１】
2007249789.tif 000003
【図２】
2007249789.tif 000004
【図３】
2007249789.tif 000005
【図４】
2007249789.tif 000006
【図５】
2007249789.tif 000007